(57)【要約】【課題】ルールにおいてゴルフに似ており、ボールの手投げ跳ね返りにより飛距離を出し、最終的にホールインを目指す、簡易かつ健康的で新規な野外ゲームを提供する。【解決手段】土台となる平板１と、傾斜角の異なる傾斜面２ａを複数有する飛球板２と、弾力を有するボール３とを組合わせ、前記楕円形の平板１の上面には中央部位に前記飛球板２の底部嵌込み溝４を設け、また底面には折畳み可能な土中差込み杭５を設けて成り、前記ボール３を前記底部嵌込み溝４に嵌込んだ飛球板２の傾斜面２ａに向けて手投げしてその跳ね返りにより飛距離を出し、最終的にホールインを目指す手投げボールゲーム器具である。【選択図】図１
0003151556.tif 000002
【実用新案登録請求の範囲】
【請求項１】
平板と、傾斜角の異なる傾斜面を有する複数の飛球板と、弾力を有するボールとを組合わせ、前記平板の上面には中央部位に前記飛球板の底部嵌込み溝を設け、前記ボールを底部嵌込み溝に嵌込んだ飛球板の傾斜面に向けて手投げしてその跳ね返りにより飛距離を出し、最終的にホールインを目指す手投げボールゲーム用器具。
【請求項２】
前記飛球板が、傾斜角を任意に調整可能な角度調整機構を有することを特徴とする請求項１に記載の手投げボールゲーム用器具。
【請求項３】
前記平板が、楕円形を成す請求項１又は請求項２に記載の手投げボールゲーム用器具。
【請求項４】
前記平板が、その底面に折畳み可能な土中差込み杭を装着して成る請求項１から請求項３に記載の手投げボールゲーム用器具。
【請求項５】
前記ボールが、硬質スポンジ材質である請求項１から請求項４のいずれかに記載の手投げボールゲーム用器具。
【考案の詳細な説明】
【技術分野】
【０００１】
本考案は、老若男女を問わず、グループや家族ぐるみで野外において楽しめる簡易かつ健康的で新規な手投げボールゲーム器具に関するものである。
【背景技術】
【０００２】
人は、心豊かな人生となるように、日々仕事にも、学業にも、家庭生活等にも気を配り生活をしており、その配慮の中でも、特に重要な要素として「健康維持」がある。健康であることは、生活の全ての基本となるものであって、人は、医薬や医療にできるだけ頼らないで生活したいと希望するものである。
【０００３】
運動は、栄養・休養とともに健康維持の三要素のひとつであり、健康維持の手段としてその重要性は高い。さらに、近年、スポーツジムや競技場等が充実し、健康のために、自己の生活スタイルの一つとしてスポーツを取り入れる人が多くなってきている現状もある。
【０００４】
ここで、健康の維持向上のための運動として、その種類と運動強度は、全身運動であるウォーキング、ジョギング、水泳、自転車等を中等度で行うのが良いとされているが、各個人で運動能力が違うため、正確な処方を受けるには特殊な知識が必要となる。そこで、友人等と気軽に楽しむことができ、継続しやすいゴルフやテニスといった球技が取り入れられることが多い。しかし、ややもすると競技志向が強くなって練習量の増加や技術偏重主義を招く種目となったり、高齢者や肢体不自由の人には体力的な負担過多となる場合もある。さらには、ゴルフ場やテニスコート等へ足を運ばなければならず、場所的にも経済的にも相当の負担がかかるという問題点がある。
【０００５】
このような問題点を補う手段として、従来より、種々の技術が提供されている。例えば、１つのゲームマット上に設けた組み換え自在の部品を、３種目別の用途に合わせて自在に組み換えることで、ゴルフゲーム、ゲートボールゲーム、ビリヤードゲームの３種目１０種類以上のゲームを楽しむことができるゲーム具とゲーム方法の提案がされている（特許文献１参照）。
【０００６】
また、ボールを打つクラブのボールに接触する部分が円球状で、回転する様加工され、打点の位置によりボールの転がる方向角度、回転等が異る特殊なクラブを使用し、新たなルールに従ったゲーム方法も考案されている（特許文献２参照）。
【０００７】
しかしながら、いずれの技術も、健康のためというより、レジャーを主たる目的としており、健康維持の運動量としては負荷が足りず、また負荷を調整することがでないという欠点がある。したがって、上記いずれの技術によっても前記問題点の解決には至っていない。
【０００８】
【特許文献１】特開平１１−２５３５９６号公報
【特許文献２】実開平０５−０９１７３８号公報
【考案の開示】
【考案が解決しようとする課題】
【０００９】
そこで、かかる問題点に鑑み、本考案は、老若男女を問わず、グループや家族ぐるみで野外において楽しめる簡易かつ健康的で、新規な手投げボールゲーム器具を提供しようとするものである。
【課題を解決するための手段】
【００１０】
上記目的を達成するため、本考案は、平板と、傾斜角の異なる傾斜面を有する複数の飛球板と、弾力を有するボールとを組合わせ、前記平板の上面には中央部位に前記飛球板の底部嵌込み溝を設け、前記ボールを底部嵌込み溝に嵌込んだ飛球板の傾斜面に向けて手投げしてその跳ね返りにより飛距離を出し、最終的にホールインを目指す手投げボールゲーム用器具である。
【００１１】
また、前記飛球板が、傾斜角を任意に調整可能な角度調整機構を有することを特徴とする構成を採用することもできる。
【００１２】
さらに、前記平板が、楕円形を成す構成を採用することもできる。
【００１３】
またさらに、前記平板が、その底面に折畳み可能な土中差込み杭を装着して成る構成を採用することもできる。
【００１４】
さらにまた、前記ボールが、硬質スポンジ材質である構成を採用することもできる。
【考案の効果】
【００１５】
本考案にかかる手投げボールゲーム器具によれば、クラブによって飛球を出すゴルフに対し、手投げボールの飛球板跳ね返りにより飛球を出すもので、いわば手投げゴルフを可能とするものであり、技量的にもゴルフより易しく、老若男女を問わず手軽にプレーでき、広場さえあれば特に設備を必要としないという優れた効果を発揮する。
【００１６】
また、本考案にかかる手投げボールゲーム器具によれば、グループや家族で気楽に楽しめ、健康的なゲームであって、ゴルフのような危険性が全くなく、費用の負担も少ないという効果を奏する。
【００１７】
さらに、 、本考案にかかる手投げボールゲーム器具によれば、車椅子によるプレーも可能であり、特に、下半身に障害を持つ人にも手軽に屋外スポーツを楽しんでもらうことができ、車椅子利用者のスポーツ選択幅を拡大できるという効果も発揮する。
【考案を実施するための最良の形態】
【００１８】
本考案は、平板１と、傾斜角の異なる傾斜面２ａを有する飛球板２と、弾力を有する硬質スポンジ製ボール３とを組合わせた構造を採用したことを最大の特徴とするものである。以下、本発明にかかる手投げボールゲーム器具の実施形態を図面に基づいて説明する。
【００１９】
まず、ゲームのルールについて説明する。
【００２０】
一人でも楽しめるが、普通は二人以上でプレーする。野外広場において一点に目標となる穴Ｈ（ホールイン）を設け、スタート点からその穴Ｈまでの距離に応じて基準となるプレー回数を設定する。例えば１００ｍであれば４回とし、手投げが飛球板２を介してそれ以上の回数となったときは、＋、同数のときは０、下回ったときは−の成績評価をする。
【００２１】
より具体的には、図４に示すように、各人が自分用の平板１と、複数の傾斜面２ａを有する飛球板２と、ボール３とからなる組合わせセットを持ち、まずスタートラインに平板１を定置させる（差込み杭５を有する態様においては土中に杭打ちして不動状態にする）。そして、所望の飛球板２の底部を平板１の嵌込み溝４に嵌め込み、適当なスタンスを取って（スタート時点ではスタートラインの内側から）ボール３を飛球板２の傾斜面２ａに向けて投げ付け、その傾斜面２ａの跳ね返りによりボール３を目標となる穴Ｈ方向へ飛球させる。この際どの飛球板２を選ぶかはプレーヤーの任意であるが（該傾斜角度を調整可能とする態様を採用した場合は、ダイヤルレバーを操作して、任意角に調整することになる）、傾斜角度が増す程球筋は上がる反面距離は小さくなる（一番飛距離が出るのは２０度〜３０度前後）。
【００２２】
そして、順次飛球した位置へ平板１を移しながら、同じ動作を繰り返し、最終的にホールインするまでに手投げした回数で勝敗を決する。但し、上記ルールは例示であってこれに限定されるわけではなく、臨機応変に変更可能であることは言うまでもない。
【００２３】
次に、本考案にかかる手投げボールゲーム器具の具体的な構成について説明する。
【００２４】
図１は、本考案にかかる手投げボールゲーム器具の構成を示す全体斜視図、図２は、本考案にかかる手投げボールゲーム器具の組合せ断面図である。土台となる平板１と、該平板１に傾斜角の異なる傾斜面２ａを有する複数の飛球板２と、弾力を有する直径６ｃｍ程度の硬質スポンジ製ボール３とから構成されている。
【００２５】
平板１は一般的には木製が考えられるが、強固のものであればよく、特に限定されるものではない。従って、樹脂等を用いて軽量化を図ることも可能である。なお、形状は楕円形等で、飛球板２を嵌合等できる厚みを有することが必要である。楕円形等とするのは移動等の際に、角による事故や怪我を防止するためである。
【００２６】
前記平板１の上面には中央部位に前記飛球板２の底部嵌込み溝４を設け、競技の際、必要に応じて飛球板２を交換する。
【００２７】
また、平板１の底面には、地面に固定するため、土中差込み杭５を設け構成を採用することも可能である。該土中差込み杭５は、地面Ｇに差し込み易くなるように先端を鋭利な形状とするが、ヒンジ６を介して折り畳み可能であり、折り畳むと土中差込み杭５は平板１に内臓されるため、使用しないときの危険性はない。
【００２８】
飛球板２の下部は、平板１の上面中央部位の底部嵌込み溝４に嵌合する形状とし、上部は、傾斜面２ａを有する形状となっている。また、相互に凹凸形状等を組み合わせて、固定性を高めることも有効である。素材等については、前記平板１と同様である。傾斜面２ａの幅は年齢や競技レベルに応じて変更することにより、難易度を調整することも可能となる。
【００２９】
ボール３は、素材として、弾力性を有する硬質スポンジ等が考えられるが、これらに限定されるものではなく、例えば、硬質ゴム、ポリエステル、ウレタン等でもよい。大きさについては直径を６ｃｍ程度とし、子供や女性には掴みやすいような小径のものを準備することが望ましい。構造については、ボール３のコア部分に高反発素材を用いたものや、外部から空気を注入したり、あるいは、テニスボールのように、空洞部に薬品を入れて、化学反応で窒素ガスを発生させることで、ボール内部の圧力を大気圧より大きくして、反発力を出すことも有効である。更には、市販の野球用ボールやテニスボール等をそのまま利用してもよい。
【００３０】
図３は、前記平板１の上面中央部位に、前記飛球板２の傾斜角を任意に調整可能となる構成を採用した場合の、飛球板傾斜角調整機能を示す説明図である。かかる態様を採用した場合は、飛球板２は複数用意する必要がなくなり、傾斜角度も任意に設定できることとなる。
【００３１】
飛球板２の競技者Ｋ側底端部は、平板１の競技者Ｋ側中央部の所定箇所に配設されたヒンジ６によって回動自在に軸支される。また、飛球板２の中央底面部にもヒンジ６が設けられ、連接棒９を通じて、回転軸８に応動し、飛球板２を任意角度に傾動する構造となっている。
【００３２】
前記、回転軸８は、平板１の、穴Ｈ側端部中央に配設された軸受７により軸支され、ハンドル１０を回転することにより摺動し、連接棒９を押し駆動して飛球板２を任意角度に傾動する。
【００３３】
図４は、本考案にかかる手投げボールゲーム器具を利用したボールゲームのプレー状態を示す実施状態図である。ルール及び使用方法については上述の通りである。
【産業上の利用可能性】
【００３４】
本考案は、特に健康維持・スポーツ振興・学校体育教育等の幅広い分野で利用される可能性がある。
【図面の簡単な説明】
【００３５】
【図１】本考案にかかる手投げボールゲーム器具の構成を示す全体斜視図である。
【図２】本考案にかかる手投げボールゲーム器具の組合わせ断面図である。
【図３】飛球板傾斜角調整機能を示す説明図である。
【図４】プレー状態を示す実施状態図である。
【符号の説明】
【００３６】
１    平板
２    飛球板
２ａ  傾斜面
３    ボール
４    底部嵌込み溝
５    土中差込み杭
６    ヒンジ
７    軸受
８    回転軸
９    連接棒
１０    ハンドル
Ｈ    穴
Ｋ    競技者
Ｇ    地面
【図１】
0003151556.tif 000003
【図２】
0003151556.tif 000004
【図３】
0003151556.tif 000005
【図４】
0003151556.tif 000006